(57)【要約】【課題】製造時において、花弁の表面で宝飾体が位置ずれすることを抑制しつつ、簡易に製造することができる造花及びその製造方法を提供する。【解決手段】造花は、花冠部材１１と、その花冠部材１１を支持する茎部材とを有している。花冠部材１１は、該花冠部材１１を茎部材に取り付けるための取付部と、該取付部から延設された複数の接続部と、これら接続部を介して前記取付部に接続された複数の花弁部１７とを備えている。また、花弁部１７には、宝飾体１４が取り付けられている。花弁部１７の表面には、宝飾体１４を取り付ける場合に該宝飾体１４を位置決めするための係合部として凸条１７ｂが形成されている。【選択図】図３
2009114602.tif 000002
【特許請求の範囲】
【請求項１】
花冠部材と、その花冠部材を支持する茎部材とを有する造花であって、
前記花冠部材は、該花冠部材を前記茎部材に取り付けるための取付部と、該取付部から延設された塑性変形可能な複数の接続部と、これら接続部を介して前記取付部に接続された複数の花弁部と、これら花弁部を装飾するべく該花弁部にそれぞれ取り付けられた複数の宝飾体とを備えるとともに、
前記花弁部の表面には、前記宝飾体を取り付ける場合に該宝飾体を位置決めするための係合部が形成されていることを特徴とする造花。
【請求項２】
前記花弁部は、前記宝飾体を支持する座板と、前記係合部として、該座板の周縁に沿って延びるように該座板の表面に突設された凸条とを有するとともに、該凸条に囲まれた内側に前記宝飾体を係合することにより、該宝飾体を前記花弁部の表面で位置決めすることを特徴とする請求項１に記載の造花。
【請求項３】
前記接続部が金属材料によって形成されることにより、前記花弁部は、前記取付部に対して前記接続部を中心として変位自在に構成されていることを特徴とする請求項１又は請求項２に記載の造花。
【請求項４】
前記取付部、前記接続部及び前記花弁部は、板状の材料から一体成形されていることを特徴とする請求項１から請求項３のうち何れか一項に記載の造花。
【請求項５】
花冠部材と、その花冠部材を支持する茎部材とを有する造花の製造方法であって、
前記花冠部材は、該花冠部材を前記茎部材に取り付けるための取付部と、該取付部から延設された複数の接続部と、これら接続部を介して前記取付部に接続された複数の花弁部と、これら花弁部を装飾するべく該花弁部にそれぞれ取り付けられる複数の宝飾体と、前記宝飾体を取り付ける場合に該宝飾体を位置決めするべく前記花弁部の表面に形成された係合部とを有するものであり、
前記取付部を介して前記茎部材に前記花冠部材を取り付ける花冠取付工程と、前記係合部に前記宝飾体を係合させて該宝飾体を位置決めしつつ、該宝飾体を前記花弁部の表面に取り付ける宝飾体取付工程とを備えることを特徴とする造花の製造方法。
【請求項６】
前記宝飾体取付工程は、前記花冠取付工程の前工程として実行されることを特徴とする請求項５に記載の造花の製造方法。
【請求項７】
前記取付部に対して前記接続部を中心に前記花弁部を変位させることによって前記花冠部材を所定の形状に成形する花冠成形工程を備え、該花冠成形工程は、前記花冠取付工程の後工程として実行されることを特徴とする請求項５又は請求項６に記載の造花の製造方法。
【発明の詳細な説明】
【技術分野】
【０００１】
本発明は、きらびやかで斬新な装飾を施した造花及びその製造方法に関する。
【背景技術】
【０００２】
一般に、例えば、ウエディング用のブーケ等といった造花は、布、紙、合成樹脂等のような様々な形状を表現可能な人工材料をその素材に使用して製作されている。また、このような人工材料に限らず、例えばプリザーブドフラワー、ドライフラワー、フリーズドライフラワー等のような、自然の花である生花をその素材に使用して製作された造花も存在する。つまり、従来の造花は、生花が醸し出す、いわゆる「瑞々しさ」、「華やかさ」、「あでやかさ」等といった自然調の質感を表現するべく、多くの場合は生花を模して製作されている。特に、目を引きやすい花冠は、生花が醸し出す自然調の質感を可能な限り詳細に表現できるように、生花由来の造形とされている。
【０００３】
一方、生花由来の造形とされた造花は、生花を詳細に模したものほど光沢感に劣るものとなり、所定の条件下では却って演出効果が低くなる場合がある。すなわち、庭園、公園等の屋外にあって自然光の下であれば、生花由来の造形とされた造花は、好適に映える。しかし、屋内にあって人工的な照明の下であれば、生花由来の造形とされた造花は、このような人工的な照明の光を十分に反射することができず、映えづらい。特に、結婚式場、パーティー会場等であればインテリアも金属やガラスを多用している。また、出席者は、多くの場合、金、銀、プラチナ等の貴金属、ダイヤモンド、ルビー、サファイヤ、パール等の宝石、水晶等の貴石等からなる宝飾品を身に付けている。このような宝飾品は、その光沢を生かすことにより、人工的な照明の下では高い演出効果を発揮し、非常に目立つ。故に、生花由来の造形とされた造花は、宝飾品とともに在る場合、特に目立ちにくく、映えづらくなる。
【０００４】
そこで、例えば特許文献１に記載の造花のような、演出効果を高めたものが提案されている。すなわち、特許文献１に記載の造花は、複数の花弁と、当該花弁を支持する萼とを備えている。花弁は、合成樹脂製の薄板の表面に金属薄膜を設ける、あるいは金属板から所定形状に成形する等して得られたものであり、鏡面状の光沢を有している。また、花弁の表面には、宝飾体として、合成樹脂、ガラス、結晶質素材等からなる模擬宝石、宝石、貴石等が接着されている。そして、花弁及び宝飾体が照明等に対して高い反射率を発揮することにより、当該造花の演出効果が高められている。
【特許文献１】特開２００３−３２８２２１号公報
【発明の開示】
【発明が解決しようとする課題】
【０００５】
ところが、上記従来の造花は、その製造時において、花弁の表面から宝飾体が位置ずれしてしまう可能性がある。すなわち、宝飾体は、質量が比較的大きくなることから、花弁へ接着する際、接着剤が硬化するまでの間に、その自重によって花弁の表面上で移動しようとする。特に、造花の演出効果を高めるべく、萼を変形させる等して花弁を傾斜させた場合、宝飾体の移動は顕著なものとなる。一方、花弁を水平とした状態で宝飾体を接着したとしても、宝飾体及び花弁の重さが萼に加わり、該萼が変形して花弁が撓んでしまうことにより、該花弁が上記と同様に傾斜した状態となって宝飾体が移動してしまう。
【０００６】
一方、宝飾体を固定するための形状を、プローチなどに見られるような鋳型で一体に形成したり、硬質の部品をろうづけや溶接して組み立てることも考えられる。この場合は、確かに宝飾体自体は強固に固定できるかもしれないが、強度のみを考えた硬質の部材で造花を製作することは、造花全体の組立て・加工が煩雑であるばかりか、高度な熟練が必要で、製造に高い技術を要し、微妙な角度調整や、複数の花びらを重ねた場合の角度の変化付けなどがまったくできないか、極めて困難である。もちろん、製作後の花弁などの角度調整もできない。このため、専門家でしか製作できず、コストも高価なものとなってしまう。
【０００７】
本発明は、このような従来技術に存在する問題点に着目してなされたものである。その目的とするところは、製造時において、花弁部の表面で宝飾体が位置ずれすることを抑制することができる造花を提供することにある。その他の目的とするところは、花弁の表面で宝飾体が位置ずれすることを抑制しつつ、熟練者でなくても極めて簡易に低コストで所望の造花を製造することができる造花の製造方法を提供することにある。
【課題を解決するための手段】
【０００８】
上記の目的を達成するために、請求項１に記載の造花の発明は、花冠部材と、その花冠部材を支持する茎部材とを有する造花であって、前記花冠部材は、該花冠部材を前記茎部材に取り付けるための取付部と、該取付部から延設された塑性変形可能な複数の接続部と、これら接続部を介して前記取付部に接続された複数の花弁部と、これら花弁部を装飾するべく該花弁部にそれぞれ取り付けられた複数の宝飾体とを備えるとともに、前記花弁部の表面には、前記宝飾体を取り付ける場合に該宝飾体を位置決めするための係合部が形成されていることを要旨とする。
【０００９】
上記構成によれば、宝飾体は、花弁部の表面に形成された係合部に係合されることにより、位置決めされるようになっている。その結果、造花の製造時において、花弁の表面で宝飾体が位置ずれすることを抑制することができる。
【００１０】
請求項２に記載の造花の発明は、請求項１に記載の発明において、前記花弁部は、前記宝飾体を支持する座板と、前記係合部として、該座板の周縁に沿って延びるように該座板の表面に突設された凸条とを有するとともに、該凸条に囲まれた内側に前記宝飾体を係合することにより、該宝飾体を前記花弁部の表面で位置決めすることを要旨とする。
【００１１】
上記構成によれば、係合部として凸条を設け、さらにこの凸条が花弁部を構成する座板の周縁に沿って延びているため、凸条に宝飾体を好適に係合させることができる。この凸条は、平坦な板状部材の終端部を一方側に壁状に折り曲げて形成されたようなものでもよい。
【００１２】
請求項３に記載の造花の発明は、請求項１又は請求項２に記載の発明において、前記接続部が金属材料によって形成されることにより、前記花弁部は、前記取付部に対して前記接続部を中心として変位自在に構成されていることを要旨とする。
【００１３】
上記構成によれば、花弁部に取り付けられた宝飾体を強固に支持しつつ、取付部に対して花弁部を金属材料で形成された接続部で塑性的に変形し、所望の角度に変位させることにより、所望に応じて花冠部材を変形させることが容易にできるとともに、一定の範囲では弾性的な性質を示す金属であるため、その位置を維持することができるようになり、造花に様々な脚色（アレンジ）を施すことができる。さらに、造花を製作した後でも容易に角度を調整することができる。
【００１４】
もちろん、金属自身の金属光沢のままでも高い美感を示すし、メッキをしても定着が良く、表面の形状も鏡面仕上げや梨地仕上げ、細かい平面を組み合わせたようなものもそれぞれ異なった反射をするため異なる輝きを示すことができる。
【００１５】
請求項４に記載の造花の発明は、請求項１から請求項３のうち何れか一項に記載の発明において、前記取付部、前記接続部及び前記花弁部は、板状の材料から一体成形されていることを要旨とする。
【００１６】
上記構成によれば、例えば、金属板をプレスで打ち抜いて、花弁部の周縁を折り曲げ加工することで、花冠部材を１つの部品で構成することができ、簡単に茎部材に装着でき、かつ安定して複数の花弁部を同時に支持することができる。そのため、初心者でも花弁のバランスの良い造花を作ることができる。
【００１７】
材料としては、アルミニウムや銅、真鍮、ステンレスなど金属材料の薄板をプレス工程で係合部を設ければ宝飾体を強固に支持できる花冠部材を容易に製作できるとともに、同時に接続部を平坦にしておけば、容易に角度を変更することができる。このような生産方法であればとくに安価且つ大量に生産することができる。
もちろんある程度塑性変形可能な樹脂を金型成型したようなものでもよい。
【００１８】
単一の花冠部材を用いて花弁部の角度を適宜変化を付けることはもちろん、複数の花冠部材を用いて、重ねた花冠部材にそれぞれ異なった角度を付けることも簡単にでき、八重咲き、球状のような造花もこのような構成であれば容易に形成することができる。
【００１９】
特に、表面を鏡面処理された複数の金属板で形成されたものは、スポット照明を当てると、複数の花弁部で複雑に反射し、とりわけ半透明の宝飾体を用いると、まさにジュエリーといえる造花ができ、従来の造花とは一線を画されるものである。また、異なる角度の小さな平面を多数集めたようなミラーとしても、細かな反射が美しい造花となる。
【００２０】
請求項５に記載の造花の製造方法の発明は、花冠部材と、その花冠部材を支持する茎部材とを有する造花の製造方法であって、前記花冠部材は、該花冠部材を前記茎部材に取り付けるための取付部と、該取付部から延設された複数の接続部と、これら接続部を介して前記取付部に接続された複数の花弁部と、これら花弁部を装飾するべく該花弁部にそれぞれ取り付けられる複数の宝飾体と、前記宝飾体を取り付ける場合に該宝飾体を位置決めするべく前記花弁部の表面に形成された係合部とを有するものであり、前記取付部を介して前記茎部材に前記花冠部材を取り付ける花冠取付工程と、前記係合部に前記宝飾体を係合させて該宝飾体を位置決めしつつ、該宝飾体を前記花弁部の表面に取り付ける宝飾体取付工程とを備えることを要旨とする。
【００２１】
上記構成によれば、宝飾体取付工程において、係合部に宝飾体を係合させることにより、花弁の表面で宝飾体が位置ずれすることを抑制することができる。また、花冠取付工程と、宝飾体取付工程との主に２工程で、簡易に造花を製造することができる。
【００２２】
請求項６に記載の造花の製造方法の発明は、請求項５に記載の発明において、前記宝飾体取付工程は、前記花冠取付工程の前工程として実行されることを要旨とする。
上記構成によれば、花冠部材を茎部材に取り付けた後で、該花冠部材に宝飾体を取り付けることに比べ、宝飾体を取り付けやすくすることができる。
【００２３】
請求項７に記載の造花の製造方法の発明は、請求項５又は請求項６に記載の発明において、前記取付部に対して前記接続部を中心に前記花弁部を変位させることによって前記花冠部材を所定の形状に成形する花冠成形工程を備え、該花冠成形工程は、前記花冠取付工程の後工程として実行されることを要旨とする。
【００２４】
上記構成によれば、花冠成形工程を花冠取付工程の後工程とすることにより、造花全体を見ながら、花冠部材に様々な脚色（アレンジ）を施すことができるようになり、造花全体による演出効果を高めることができる。
【発明の効果】
【００２５】
本発明の造花によれば、製造時において、花弁の表面で宝飾体が位置ずれすることを抑制することができる。また、本発明の造花の製造方法によれば、花弁の表面で宝飾体が位置ずれすることを抑制しつつ、熟練者でなくても簡易に造花を製造することができる。
【発明を実施するための最良の形態】
【００２６】
以下、本発明の造花を具体化した一実施形態について説明する。
まず、造花の概略構成について説明する。
図１は、造花１０を斜め下方から見た斜視図である。造花１０は、いわゆる「花」を想起するべく、植物に相応した形状をなすように形成されている。すなわち、該造花１０は、花冠部材１１と、その花冠部材１１を支持する茎部材１２と、該茎部材１２に取り付けられた葉部材１３とを有している。花冠部材１１は、植物の器官であれば花冠に相当し、該花冠を想起させるものである。また、この花冠部材１１は、当該造花１０を、生花、あるいはプリザーブドフラワー、ドライフラワー、フリーズドライフラワー等の生花由来の造花とは決定的に異なる外観態様とするべく、宝飾体１４を有している。
【００２７】
茎部材１２は、植物の器官であれば茎に相当し、該茎を想起させるものである。そして、葉部材１３は、植物の器官であれば葉に相当し、該葉を想起させるものである。
なお、造花１０によって想起される、いわゆる「花」とは、例えば薔薇（バラ）、百合（ユリ）、躑躅（ツツジ）、牡丹（ボタン）等のような実在するものに限らず、例えば造花１０の製作者が創作した空想のものであってもよい。換言すれば、本実施形態の造花１０を視認した結果、通常「花」という言葉によって想起されるイメージから大きく逸脱しても、ここでいう造花の概念に含まれるものである。即ち、本願でいう造花とは、種々の装飾部材を含むような態様を含み、本実施形態の造花１０の外観態様は限定されない。
【００２８】
次に、前記花冠部材１１、前記茎部材１２、前記葉部材１３の構成について説明する。これらのうち、まず前記花冠部材１１の構成を詳細に説明する。
図２は、前記宝飾体１４を取り外した状態の花冠部材１１を、上方から見た平面図である。花冠部材１１は、その中央に配設された取付部１５と、該取付部１５の周縁に配設された複数（本実施形態では６つ）の接続部１６と、これら接続部１６の端部にそれぞれ設けられた複数（本実施形態では６つ）の花弁部１７とを備えている。取付部１５は、花冠部材１１を前記茎部材１２に取り付けるためのものであり、薄板状に形成されている。また、取付部１５の中央には、前記茎部材１２に花冠部材１１を固定するための取付孔１５ａが穿設されている。接続部１６は、花弁部１７を取付部１５に接続するためのものであり、薄板状に形成されている。これら接続部１６は、取付部１５の周縁からそれぞれ延設されるとともに、該周縁に沿って等間隔おきに配置されている。花弁部１７は、植物の器官であれば花びらに相当し、この花びらを想起させるものである。これら花弁部１７は、接続部１６の端部からそれぞれ延設されている。
【００２９】
図３は、図１の３−３線における断面図であり、前記宝飾体１４を取り付けた状態における前記花弁部１７の断面を示す。花弁部１７は、宝飾体１４を支持する座板１７ａと、該座板１７ａの表面に突設された凸条１７ｂとを有している。座板１７ａは、花弁部１７を平面視した形状に対応する形状をなすように、平板状に形成されている。凸条１７ｂは、本実施形態において宝飾体１４を花弁部１７に取り付ける場合に該宝飾体１４を位置決めするための係合部を構成している。この凸条１７ｂは、座板１７ａの周縁に沿って延びるように形成されている（図２参照）。
【００３０】
前記宝飾体１４は、凸条１７ｂに囲まれた内側に配置されている。この宝飾体１４は、透明又は不透明な合成樹脂、ガラス、結晶体、陶磁器、宝石、貴石等を材料に用い、宝石を模して形成されている。また、宝飾体１４の表面には、該宝飾体１４の内部における反射率を高めるため、例えばダイヤカット、プリズムカット等のようなカット処理が施されることにより、多数の小さな平坦面が形成されている（図３参照）。その結果、宝飾体１４は、照明等の入射光に対し、宝石様の輝きを発揮するように構成されている。そして、この宝飾体１４は、その周縁部が凸条１７ｂに係合されることにより、花弁部１７の表面において位置決めされている。
【００３１】
上記の花冠部材１１を構成する取付部１５、接続部１６及び花弁部１７は、指先などで力を加えれば塑性的に変形し、力を加えなければ重力や振動程度では塑性変形せずに弾性変形する金属材料を用いて一体成形されている。材料としては、例えば軟鉄、アルミニウム、銅、ステンレス、真鍮、黄銅、錫等が挙げられる。花弁部１７においては、凸条１７ｂは、金属製の板材をプレス成形等することにより、座板１７ａの周縁部を折り曲げることによって形成されたものである。さらに、花弁部１７は、鏡面処理等が施されることにより、照明等の入射光に対し、鏡面様の輝きを発揮するように構成されている。また、メッキなどにより反射率が高められることも望ましい。その結果、花弁部１７は、その座板１７ａが、いわゆる反射板として機能することにより、該座板１７ａと前記宝飾体１４とが相俟って、照明等の入射光に対し、きらびやかで斬新な演出効果を発揮している。
【００３２】
花冠部材１１において、接続部１６の厚み寸法は、座板１７ａの厚み寸法とほぼ同じとされている。このように接続部１６と座板１７ａとで厚み寸法をほぼ同じとすることに加え、座板１７ａ上に凸条１７ｂが形成されることにより、花弁部１７は、接続部１６に比べて剛性が高められている。花弁部１７と接続部１６との間に剛性差を設け、さらに接続部１６が塑性変形可能な金属材料によって形成された結果、花弁部１７は、接続部１６を折り曲げたり、湾曲させたり等することにより、取付部１５に対して該接続部１６を中心として変位自在に構成されている。このように取付部１５に対して各花弁部１７を様々な角度に変位させることにより、花冠部材１１は、所望に応じて変形させることが可能であり、造花１０に様々な脚色（アレンジ）を施すことができるように構成されている。
【００３３】
一方、花弁部１７は、座板１７ａの周縁部に凸条１７ｂが突設され、この凸条１７ｂが、いわゆる「リブ」として機能することにより、該凸条１７ｂによって補強されている。従って、花冠部材１１を所望に応じて変形させる場合、凸条１７ｂによって花弁部１７の変形が抑制されており、花冠部材１１を変形させるために加える外力は、主として接続部１６に集中するようになっている。なお、変形のための外力が接続部１６に集中する構成とした場合でも、当該接続部１６は、取付部１５及び花弁部１７と一体成形されているため、取付部１５及び花弁部１７のうち少なくとも一方と別体成形したものに比べ、変形に対する耐久性が高められている。
【００３４】
次いで、前記茎部材１２の構成を詳細に説明する。
図４は、茎部材１２を斜め上方から見た斜視図である。なお、同図中では、茎部材１２の一部を破断して図示している。茎部材１２は、筒状をなす外皮材２１と、該外皮材２１の内部に挿入された芯材２２とを備えている。また、茎部材１２は、前記花冠部材１１の取付位置となる端部である上端部に、該花冠部材１１を固定するための子房部材２３を備えている。
【００３５】
外皮材２１は、合成樹脂、紙等を材料に用いて形成されている。芯材２２は、塑性変形可能な材料として前に挙げた金属を材料に用いた線材によって形成されており、変形自在に構成されている。また、芯材２２は、その断面における直径が、外皮材２１の断面における内径よりも小さくなるように設定されている。その結果、外皮材２１の内面と、該芯材２２の外面との間には間隙２４が設けられている。そして、茎部材１２は、芯材２２を変形させることにより、所望に応じて変形可能となっており、造花１０に様々なアレンジを施すことができるように構成されている。
【００３６】
子房部材２３は、合成樹脂、紙等を材料に用い、上方に開口する略半球状をなすように形成されている。子房部材２３の内部空間は、前記花冠部材１１を固定するための固定部２３ａとされている。この子房部材２３は、その下端部において、芯材２２の上端部に接合されている。一方、子房部材２３は、その上端部が開口されたままの状態とされる。芯材２２は、その上端が、外皮材２１の上端部から子房部材２３の固定部２３ａ内へ突出され、さらに固定部２３ａ内から子房部材２３の開口を介して外部へ突出されることにより、挿入部２２ａを形成している。この挿入部２２ａは、茎部材１２に前記花冠部材１１を取り付ける場合に、前記取付部１５の前記取付孔１５ａに挿入されるようになっている。
【００３７】
次いで、前記葉部材１３の構成を詳細に説明する。
図５は、葉部材１３を横方向から見た斜視図である。なお、同図中では、葉部材１３の一部を省略して図示している。葉部材１３は、葉部２５と、該葉部２５から延びる葉柄部２６とを備えている。葉部２５は、合成樹脂製のフィルム、シート等、あるいは紙等からなるシート材を用い、植物の器官である葉を想起させる形状をなすように形成されている。葉柄部２６は、芯棒２６ａと、該芯棒２６ａの表面を被覆する被覆材２６ｂとから構成されている。芯棒２６ａは、前記茎部材１２の芯材２２と同様に、塑性変形可能な材料として前に挙げた金属を材料に用いた線材によって形成されており、変形自在に構成されている。被覆材２６ｂは、芯棒２６ａの変形を阻害しない程度に軟質な、合成樹脂、紙等の軟質材料によって形成されている。
【００３８】
葉柄部２６は、葉部２５に対し、その一端部（図中で右端部）において接着等の方法で接合されている。また、葉柄部２６の他端部（図中で左端部）においては、芯棒２６ａが被覆材２６ｂによって覆われることなく外部に露出されている。そして、葉部材１３においては、この外部に露出された芯棒２６ａにより、該葉部材１３を前記茎部材１２に取り付けるための差込部２７が構成されている。
【００３９】
次に、花冠部材１１、茎部材１２及び葉部材１３の接合形態について説明する。
図６は、造花１０全体の断面図である。花冠部材１１は、取付部１５の取付孔１５ａに茎部材１２の挿入部２２ａが挿入されるとともに、茎部材１２の子房部材２３の上端に載置されている。また、子房部材２３において、固定部２３ａ内には接着剤２９が充填されており、この接着剤２９によって子房部材２３と取付部１５の下面とが接着されている。一方、取付部１５の上面においては、挿入部２２ａが取付孔１５ａを介して外部へ突出している。この挿入部２２ａの周囲には、接着剤２９が塊状をなすように充填されており、この接着剤２９によって挿入部２２ａと取付部１５の下面とが接着されている。従って、花冠部材１１は、取付部１５の上下両面にて接着剤２９で茎部材１２の挿入部２２ａ及び子房部材２３の双方に接着されることにより、茎部材１２の上端に固定されている。
【００４０】
なお、取付部１５の上面に充填された接着剤２９は、その表面に複数の蘂部材３０が差し込まれ、接着されることにより、これら蘂部材３０によって外部から覆われている。従って、蘂部材３０は、接着剤２９を外部から隠蔽しており、該接着剤２９が外部へ露出することによる造花１０の外観品質の低下を抑制している。また、蘂部材３０をパール調等のような光輝性材料で形成することにより、照明等の入射光に対する造花１０の演出効果を高めることも可能である。また、接着剤２９には、例えば金属と合成樹脂等のように異なる材質を接着可能なもの、つまりは材質を問わず接着可能なものを使用することが好ましい。このような接着剤として、例えばエポキシ系接着剤が挙げられる。
【００４１】
一方、葉部材１３は、葉柄部２６の差込部２７を茎部材１２の外皮材２１に刺し通すことにより、茎部材１２に差し込まれて、固定されている。この外皮材２１に刺し通された差込部２７は、茎部材１２内に設けられた間隙２４内に挿入されることとなる。その結果、差込部２７が茎部材１２に差し込まれることにより、差込部２７の太さ分だけ外皮材２１が膨れ上がって造花１０の外観品質が低下することが抑制されている。
【００４２】
次に、上記構成の造花１０の製造方法について説明する。
造花１０は、宝飾体取付工程と、花冠取付工程との、主に２つの工程で製造される。これら２つの工程のうち、宝飾体取付工程は、花冠取付工程の前工程として実行される。また、必要に応じて、花冠取付工程の後工程として、花冠成形工程が実行される。
【００４３】
さて、前記宝飾体取付工程とは、花弁部１７に宝飾体１４を取り付けるための工程である。この宝飾体取付工程は、花弁部１７の表面に接着剤を塗布する塗布工程と、花弁部１７の表面で宝飾体１４を位置合わせする位置決め工程と、宝飾体１４を花弁部１７の表面に接着する接着工程とを含む。
【００４４】
まず塗布工程では、花弁部１７の表面において、凸条１７ｂによって囲まれた内側部分に接着剤を塗布する。なお、このとき使用する接着剤には、前記接着剤２９と同様のものが使用される。次に、位置決め工程では、宝飾体１４の周縁が凸条１７ｂの内側面に接触するように、宝飾体１４を凸条１７ｂに係合させる。そして、接着工程では、花弁部１７の表面に宝飾体１４を強く押し付け、押圧することにより、宝飾体１４が花弁部１７の表面に接着される。
【００４５】
前記位置決め工程においては、接着剤が未だ硬化していないため、花弁部１７の表面上で宝飾体１４を移動させることができる。従って、一旦、宝飾体１４と凸条１７ｂを係合させ、該宝飾体１４の花弁部１７の表面に仮配置した後、宝飾体１４を移動させて位置決めしてもよい。つまり、宝飾体１４と凸条１７ｂとは、常に係合された状態を維持する必要はなく、造花１０を製造した状態で互いに離間した位置に配設されていてもよい。但し、前記位置決め工程において、その自重によって花弁部１７の表面上から脱落しようとする宝飾体１４については、宝飾体１４の周縁が凸条１７ｂに当接されることにより、該宝飾体１４の移動が規制される。その結果、接着剤が硬化するまでの間における宝飾体１４の花弁部１７の表面上からの脱落が抑制される。
【００４６】
さて次に、前記花冠取付工程とは、取付部１５を介して茎部材１２に花冠部材１１を取り付けるための工程である。この花冠取付工程では、まず茎部材１２の子房部材２３において、固定部２３ａ内に接着剤２９が充填される。次いで、取付部１５の取付孔１５ａに茎部材１２の挿入部２２ａが挿入されるとともに、この状態で花冠部材１１を子房部材２３の上端に載せる。つまり、子房部材２３の上端に載せることにより、花冠部材１１は、安定して支持される。そして、花冠部材１１を子房部材２３に押し付ける。すると、固定部２３ａ内の接着剤２９に取付部１５の下面が接触される。
【００４７】
また、花冠部材１１を子房部材２３に押し付けた後、取付部１５の上面においては、挿入部２２ａを覆うように接着剤２９が塊状に充填される。この後、接着剤２９が硬化するまでの間に、塊状をなす接着剤２９を隠蔽するように、蘂部材３０が接着剤２９の表面に差し込まれる。そして、取付部１５の上下両面において、接着剤２９を硬化させることにより、茎部材１２の上端に花冠部材１１が固定され、花冠取付工程が終了する。
【００４８】
なお、花冠成形工程とは、取付部１５に対して接続部１６を中心に花弁部１７を変位させることにより、花冠部材１１を所定の形状に成形する工程である。この花冠成形工程は、花冠取付工程が終了した後に行われることにより、取付部１５が茎部材１２の上端に固定された状態で、花弁部１７の変位を好適に行うことができるようになる。すなわち、取付部１５の茎部材１２に対する移動が抑制されることにより、花弁部１７を変位させるための外力が好適に無駄なく接続部１６に伝達されるためである。また、花冠成形工程は、入射光の侵入方向等が予め定められている場合等、演出効果を顕著に高める等を目的として実行される。従って、花冠取付工程までで造花１０に十分な演出効果が付与せしめられているのであれば、必ずしも実行する必要はない。
【００４９】
前記の実施形態によって発揮される効果について、以下に記載する。
（１）花冠部材１１において、花弁部１７には、係合部として凸条１７ｂが設けられている。宝飾体１４が自重等によって花弁部１７の表面から脱落しようとする場合には、宝飾体１４が係合部である凸条１７ｂに係合されることにより、宝飾体１４の移動が規制されるようになっている。このため、造花１０の製造時において、花弁部１７の表面で宝飾体１４が位置ずれすることを抑制することができる。
【００５０】
（２）凸条１７ｂは、花弁部１７を構成する座板１７ａの周縁に沿って延びるように突設されており、この凸条１７ｂに囲まれるようにして宝飾体１４が取り付けられている。このため、花弁部１７の表面で宝飾体１４が位置ずれしようとする場合には、宝飾体１４を凸条１７ｂに確実に係合させることができる。
【００５１】
（３）接続部１６は、塑性変形可能な金属材料によって形成されているため、花弁部１７を取付部１５に対し、好適に所望の位置に変位させることができ、造花１０に様々な脚色（アレンジ）を施すことができる。
【００５２】
（４）取付部１５、接続部１６及び花弁部１７は、一体成形されているため、花冠部材１１を１つの部品で構成することができ、部品点数の低減化を図ることができる。また、取付部１５、接続部１６及び花弁部１７を別体成形した場合に比べ、剛性を向上させることができ、花弁部１７を取付部１５に対して変位させる場合の耐久性を向上させることができる。
【００５３】
（５）造花１０は、花冠取付工程と、宝飾体取付工程との主に２つの工程で製造される。このため、宝飾体取付工程において、係合部である凸条１７ｂによって花弁部１７の表面で宝飾体１４が位置ずれすることを抑制しつつ、宝飾体取付工程及び花冠取付工程において、造花１０を簡易に製造することができる。
【００５４】
（６）宝飾体取付工程を花冠取付工程の前工程で実行することにより、花冠部材１１を茎部材１２に取り付けた後で、該花冠部材１１に宝飾体１４を取り付けることに比べ、宝飾体１４を取り付けやすくすることができる。
【００５５】
（７）花冠取付工程の後工程として花冠成形工程を実行した場合、造花１０全体を見ながら、花冠部材１１に様々な脚色（アレンジ）を施すことができるようになり、造花１０全体による演出効果を高めることができる。
【００５６】
（変更例）
なお、本実施形態は、次のように変更して具体化することも可能である。
・  本実施形態の花冠部材１１は、１つの造花１０において、１つ用いているが、複数枚（例えば３枚）の花冠部材１１を重ねて用いることができる。この場合、接続部１６は、変形可能であるので、一番基端側は、茎部材側に反転させ、先端側に行くほど、大きな角度で屈曲することで、複数の花冠部材１１の先端を、全体として球状や半球状に形成することもでき、立体感のある造花１０とすることができる。
【００５７】
・  また、複数の花冠部材１１を重ねる場合に、先端側に行くほど大きさを小さなものとすることで、接続部１６の屈曲角度を大きくしなくてもそれぞれの花弁部１７の表面に填め込んだ宝飾体１４の視認性が良くなる。
【００５８】
・  異なった形状や、非対称な形状の花弁部１７を組み合わせることで、例えば、蘭（らん）の花を模したような形状とすることもできる。
・  なお、実施形態では花冠部材は金属材料で構成されているが、花冠部材を樹脂製、合成ゴム製としてもよい。
【００５９】
・  また、全体を一体形成せず、例えば花弁部、取付部はメッキをしたプラスチックにより構成し、これらを塑性変形可能な金属片でつなぎ接続部をして形成したようなものでもよい。その他種々の材料を用いうる。
【００６０】
・  花冠部材１１を茎部材１２に固定する場合に、接着剤２９を用いず、取付孔１５ａから突出した挿入部２２ａを挿入口を備えた蘂部材３０に圧入することで固定するようにしてもよい。
【００６１】
・  また、この蘂部材３０に代えて、蘂を備えない簡易な構成の固定用のキャップで固定することもできる。このキャップは、中空でも中実でもよい。パテ、ゴム、発泡樹脂、コルクのようなもので構成してもよい。特に、花冠部材１１の接続部１６を大きく屈曲させて内部が見えにくい状態であればこのような簡易な構成でもよい。
【００６２】
・  また、蘂部材３０は、この固定用キャップに接着して留めてもよく、さらに固定用キャップに蘂部材３０の固定用の突起を設けてもよい。
・  係合部は、前記実施形態で示した凸条１７ｂに限らず、座板１７ａの表面に凹設された凹部によって構成してもよい。この場合、宝飾体１４は、凹部の内側に嵌め込まれることとなる。そして、係合部を凹部によって構成した場合においても、前記（１）に記載の効果と同様の効果を奏することができる。また、係合部を凹部によって構成する場合、接続部１６は、その厚み寸法が、凹部の内側に宝飾体１４を嵌め込んだ場合の座板１７ａと宝飾体１４とを合わせた厚み寸法に比べ、同じか、あるいは薄くすることが好ましい。これは、座板１７ａと宝飾体１４とが一体化されることにより、接続部１６と花弁部１７との間に剛性差が生じ、接続部１６のみを曲げやすくなるためである。さらに、このようにして接続部１６と花弁部１７との間に剛性差を生じさせた場合であっても、凹部の周縁部が、いわゆるリブとして機能し、座板１７ａを補強する。このため、宝飾体１４が係合された状態で花弁部１７の剛性を維持しつつ、接続部１６を中心とした取付部１５に対する花弁部１７の変位を容易に行うことができる。
【００６３】
・  係合部は、前記実施形態で示した凸条１７ｂに限らず、座板１７ａの表面に突設されたピン等の突部によって構成してもよい。また、係合部をピン等の突部によって構成する場合、宝飾体１４には、突部と対応する位置に、孔等の凹部が設けられることとなる。そして、花弁部１７の突部と、宝飾体１４の凹部とが互いに係合することにより、前記（１）に記載の効果と同様の効果を奏することができる。加えて、係合部を突部によって構成する場合、接続部１６は、その厚み寸法が、座板１７ａの厚み寸法に比べ、同じか、あるいは薄くされていることが好ましい。これは、突部を設けた分、該突部によって座板１７ａが補強され、接続部１６と花弁部１７との間に剛性差が生じ、接続部１６のみを曲げやすくなるためである。このようにして接続部１６と花弁部１７との間に剛性差を生じさせた場合であっても、花弁部１７の剛性を維持しつつ、接続部１６を中心とした取付部１５に対する花弁部１７の変位を容易に行うことができる。
【００６４】
・  実施形態では、接着によって宝飾体１４を花弁部１７に取り付けたが、宝飾体１４を凸条１７ｂの内側に嵌め込むことによる嵌合関係、あるいは溶着等の方法により、宝飾体１４を花弁部１７に取り付けてもよい。また、接着によらず宝飾体１４を花弁部１７に取り付ける場合、実施形態の接着工程は省略される。
【００６５】
・  葉部材１３を取り付けることなく、造花１０を製造してもよい。また、差し込みによらず、葉部材１３を接着等の方法により、茎部材１２に取り付けてもよい。
・  挿入部２２ａを省略し、子房部材２３の固定部２３ａに充填された接着剤２９によってのみ、茎部材１２に花冠部材１１を取り付けてもよい。また、挿入部２２ａを省略する場合、花冠部材１１の取付孔１５ａを省略してもよい。
【００６６】
・  前記芯材２２は、塑性変形可能な金属材料によって変形自在に構成されることに限らず、紙、合成樹脂、ガラス等の硬質な材料により、変形できないように構成してもよい。
【００６７】
・  前記茎部材１２は、必ずしも外皮材２１と、芯材２２とから構成することに限らず、例えば外皮材２１のみ、あるいは芯材２２のみで構成してもよい。また、間隙２４を省略して茎部材１２を構成してもよい。
【００６８】
・  子房部材２３を省略し、茎部材１２の上端部において、外皮材２１、あるいは芯材２２に直接的に花冠部材１１を取り付けてもよい。
・  前記接続部１６の厚み寸法は、前記座板１７ａの厚み寸法と、必ずしも同じとする必要はなく、前記座板１７ａの厚み寸法に比べて薄くしてもよい。また、接続部１６の厚み寸法を座板１７ａの厚み寸法よりも厚くしてもよい。
【００６９】
・  前記花冠成形工程は、必要に応じて省略してもよい。
・  前記宝飾体取付工程を、前記花冠取付工程の後工程で実行してもよい。
・  前記取付部１５、前記接続部１６及び前記花弁部１７を、各個別に成形し、別部材としてもよい。また、前記取付部１５、前記接続部１６及び前記花弁部１７を別部材とする場合、例えば、接続部１６を、植物の器官のうち萼（がく）を想起する形状としてもよい。
【００７０】
・  前記接続部１６は、塑性変形可能な材料であれば、金属材料に限らず、紙、合成樹脂等で形成してもよい。あるいは、前記接続部１６を変形不可能に構成し、前記取付部１５に対して前記花弁部１７を変位不可能として、花冠部材１１の形状を固定してもよい。
【００７１】
・  例えば、前記花弁部１７に孔を開けた構成や、花弁部１７自体を環状、あるいは枠状に構成したものでもよい。このように構成した場合でも、花弁部１７の内側に宝飾体１４を嵌め込むことにより、該宝飾体１４を位置決めすることができる。つまり、環状、あるいは枠状に花弁部１７を形成した場合、係合部は、該花弁部１７の周縁部によって構成される。この場合、花弁部１７の裏面からの光線により半透明の宝飾体１４をさらに美しく輝かせることができる。
【００７２】
・  宝飾体１４は、前記実施形態のものに限らず、例えば金属等からなる台座上に細かな宝飾体をちりばめてなる、いわゆるパヴェ調のものとしてもよい。
・  花冠部材１１は、実施形態のように、１つの茎部材１２に対して１つのみ取り付けることに限らず、１つの茎部材１２に対して複数取り付けてもよい。この場合、花冠部材１１が互いに重なるように茎部材１２の同一位置に取り付けてもよく、また葉部材１３のように、複数の花冠部材１１を茎部材１２の異なる位置にそれぞれ取り付けてもよい。
【００７３】
さらに、前記実施形態より把握できる技術的思想について以下に記載する。
（Ａ）前記接続部は、その厚み寸法が、前記花弁部における前記座板の厚み寸法に比べ、同じか、あるいは薄くされていることを特徴とする請求項２から請求項４のうち何れか一項に記載の造花。このように構成した場合、花弁部において座板の剛性を維持しつつ、接続部を中心とした取付部に対する花弁部の変位を容易に行うことができるようになる。
【００７４】
（Ｂ）前記茎部材は、前記花冠部材の取付位置となる端部に、該花冠部材を固定するための子房部材を備えていることを特徴とする請求項１から請求項４のうち何れか一項に記載の造花。このように構成した場合、子房部材によって花冠部材を安定して支持することができる。
【００７５】
（Ｃ）前記茎部材は、筒状をなす外皮材と、該外皮材の内部に挿入された芯材とを備えており、該外皮材の内面と、該芯材の外面との間には間隙が設けられていることを特徴とする請求項１から請求項４のうち何れか一項に記載の造花。このように構成した場合、例えば茎部材に葉部材を取り付ける等するとき、葉部材等のような付属品の固定に要するスペースとして間隙を利用することができる。
【００７６】
（Ｄ）前記芯材が塑性変形可能な材料によって形成されることにより、前記茎部材は、変形自在に構成されていることを特徴とする（Ｃ）に記載の造花。このように構成した場合、所望に応じて茎部材を変形させることができるようになり、造花に様々な脚色（アレンジ）を施すことができる。
【００７７】
（Ｅ）前記茎部材には、前記芯材を前記外皮材の端部から突出させることによって挿入部が形成されており、前記花冠部材の前記取付部には、前記花冠部材を前記茎部材に取り付ける場合に、該挿入部を挿入するための取付孔が設けられていることを特徴とする（Ｃ）又は（Ｄ）に記載の造花。このように構成した場合、取付孔に挿入部を挿入することにより、花冠部材を茎部材に安定的に取り付けることができる。
【００７８】
（Ｆ）前記花冠部材及び前記茎部材に加えて葉部材を有するとともに、該葉部材は、葉部と、該葉部から延びる葉柄部とを備えており、前記外皮材に該葉柄部を刺し通して該葉柄部を前記間隙に挿入することにより、該葉部材が前記茎部材に取り付けられていることを特徴とする（Ｃ）から（Ｅ）のうち何れか一項に記載の造花。このように構成した場合、葉柄部が間隙に挿入されることにより、茎部材の表面に該葉柄部を刺し通したことによる盛り上がり等のような外観態様を低下させる要因となるものが形成されてしまうことを抑制することができる。
【００７９】
（Ｇ）前記宝飾体取付工程は、前記宝飾体を前記花弁部の表面に接着する接着工程を含むことを特徴とする請求項５から請求項７のうちいずれか一項に記載の造花の製造方法。このように構成した場合、花弁部の表面に宝飾体を簡易に取り付け、固定することができる。
【００８０】
（Ｈ）前記花弁部は、前記宝飾体を支持する座板と、前記係合部として、該座板の表面に凹設された凹部とを有するとともに、該凹部の内側に前記宝飾体を係合することにより、該宝飾体を前記花弁部の表面で位置決めすることを特徴とする請求項１に記載の造花。このように構成した場合、簡易な構成で宝飾体を花弁部の表面に位置決めすることができる。
【００８１】
（Ｉ）前記接続部は、その厚み寸法が、前記凹部の内側に前記宝飾体を係合した場合の前記座板と前記宝飾体とを合わせた厚み寸法に比べ、同じか、あるいは薄くされていることを特徴とする（Ｈ）に記載の造花。このように構成した場合、宝飾体が係合された状態で花弁部の剛性を維持しつつ、接続部を中心とした取付部に対する花弁部の変位を容易に行うことができるようになる。
【００８２】
（Ｊ）前記花弁部は、前記宝飾体を支持する座板と、前記係合部として、該座板の表面に突設された突部とを有するとともに、前記宝飾体において該突部と対応する位置には孔部を設け、該突部と該孔部とを係合することにより、前記宝飾体を前記花弁部の表面で位置決めすることを特徴とする請求項１に記載の造花。このように構成した場合、簡易な構成で宝飾体を花弁部の表面に位置決めすることができる。
【００８３】
（Ｋ）前記接続部は、その厚み寸法が、前記座板の厚み寸法に比べ、同じか、あるいは薄くされていることを特徴とする（Ｊ）に記載の造花。このように構成した場合、花弁部において座板の剛性を維持しつつ、接続部を中心とした取付部に対する花弁部の変位を容易に行うことができるようになる。
【図面の簡単な説明】
【００８４】
【図１】実施形態の造花を示す斜視図。
【図２】実施形態の花冠部材において、宝飾体を取り外した状態を示す平面図。
【図３】図１の３−３線における断面図。
【図４】実施形態の茎部材を示す一部を破断した斜視図。
【図５】実施形態の葉部材を示す一部を省略した斜視図。
【図６】実施形態の造花を示す断面図。
【符号の説明】
【００８５】
１０…造花、１１…花冠部材、１２…茎部材、１４…宝飾体、１５…取付部、１６…接続部、１７…花弁部、１７ａ…座板、１７ｂ…係合部としての凸条。
【図１】
2009114602.tif 000003
【図２】
2009114602.tif 000004
【図３】
2009114602.tif 000005
【図４】
2009114602.tif 000006
【図５】
2009114602.tif 000007
【図６】
2009114602.tif 000008